(57)【要約】  【課題】冷蔵庫の断熱箱体において、断熱箱体の庫内面を形成する内箱材料を再利用する際のリサイクル効率を向上することができる冷蔵庫を提供するものである。  【解決手段】冷蔵庫の内箱１とラベル２を基材の引っ張り強度が粘着力の１８０度剥離強度を上回る両面粘着テープ４で貼り合せることにより、ラベル２の剥離性を向上し、内箱１上に粘着剤が残らないようにすることで、冷蔵庫の内箱１の材料を再利用する際のリサイクル効率を向上することができるものである。【選択図】図１
2006248596.tif 000002
【特許請求の範囲】
【請求項１】
内箱に、基材の引っ張り強度が粘着力の１８０度剥離強度を上回る両面粘着テープを使用しラベルを貼り付けたことを特徴とする断熱箱体。
【請求項２】
前記、基材の引っ張り強度が粘着力の１８０度剥離強度を上回る両面粘着テープの基材として多孔質発泡体を用いたことを特徴とする請求項１に記載の断熱箱体。
【請求項３】
前記、多孔質発泡体の厚みが０．０５ｍｍから０．２５ｍｍであることを特徴とする請求項２に記載の断熱箱体。
【請求項４】
前記、基材の引っ張り強度が粘着力の１８０度剥離強度を上回る両面粘着テープの基材として和紙を用いたことを特徴とする請求項１に記載の断熱箱体。
【請求項５】
前記、和紙の厚みが０．０５ｍｍから０．２５ｍｍであることを特徴とする請求項４に記載の断熱箱体。
【請求項６】
前記、基材の引っ張り強度が粘着力の１８０度剥離強度を上回る両面粘着テープの基材として延伸したポリプロピレンフィルムを用いたことを特徴とする請求項１に記載の断熱箱体。
【請求項７】
前記、延伸したポリプロピレンフィルムの厚みが０．０５ｍｍから０．２５ｍｍであることを特徴とする請求項６に記載の断熱箱体。
【発明の詳細な説明】
【技術分野】
【０００１】
本発明は、冷蔵庫の内箱のリサイクル性を向上した断熱箱体に関するものである。
【背景技術】
【０００２】
従来、この種の断熱箱体は食品容器など取り外し可能な部品を取り外した後、粉砕
選別されて材料のリサイクルが行なわれている（例えば、特許文献１参照）。
【０００３】
図２は、従来の断熱箱体の部分断面図である。図において、内箱１に、ラベル２が粘着剤３で貼り付けられている。上記構成において、ラベル２に記載された品質表示等を内箱表面に表示することができる。
【特許文献１】特開平１１−１５９９５０号公報
【発明の開示】
【発明が解決しようとする課題】
【０００４】
しかしながら、上記従来の断熱箱体ではラベル、粘着剤をあわせて材料のリサイクルする際、ラベルを内箱から剥離しようとしても粘着剤が内箱に付着して、リサイクルした内箱の純度が悪くなってしまうため、内箱材料の純度が低いというと課題を有していた。
【０００５】
本発明は、上記従来の課題を解決するもので、リサイクル材を効率よく回収することができる断熱箱体を提供することを目的とする。
【課題を解決するための手段】
【０００６】
上記従来の課題を解決するために、本発明の断熱箱体は、基材の引っ張り強度が粘着力の１８０度剥離強度を上回る両面粘着テープを使用し、粘着剤が内箱に残ることを防止したものである。
【０００７】
これによって、内箱材料のリサイクル材を効率よく回収することができる。
【発明の効果】
【０００８】
本発明の断熱箱体は、基材の引っ張り強度が粘着力の１８０度剥離強度を上回る両面粘着テープを使用することにより、内箱からラベルの剥離を容易にすることで、内箱材料のリサイクル材を効率よく回収することができる。
【発明を実施するための最良の形態】
【０００９】
請求項１に記載の発明は、基材の引っ張り強度が粘着力の１８０度剥離強度を上回る両面粘着テープを使用することにより、内箱からラベルの剥離を容易にすることで、内箱材料のリサイクル材を効率よく回収することができる。
【００１０】
請求項２に記載の発明は、請求項１に記載の発明において、多孔質発泡体を基材の引っ張り強度が粘着力の１８０度剥離強度を上回る両面粘着テープの基材に使用することで粘着性がよく、柔軟な両面テープを供給することができる。
【００１１】
請求項３に記載の発明は、請求項２に記載の発明において、多孔質発泡体の厚みを０．０５ｍｍから０．２５ｍｍに規定することで、内箱の凹凸面にも追従し、ラベルの端面ウキを防止した基材の引っ張り強度が粘着力の１８０度剥離強度を上回る両面粘着テープを供給することができる。
【００１２】
請求項４に記載の発明は、請求項１に記載の発明において、和紙を基材の引っ張り強度が粘着力の１８０度剥離強度を上回る両面粘着テープの基材に使用することで、破れにくい高強度で寸法安定性のよい基材の引っ張り強度が粘着力の１８０度剥離強度を上回る両面粘着テープを供給することができる。
【００１３】
請求項５に記載の発明は、請求項４に記載の発明において、和紙の厚みを０．０５ｍｍから０．２５ｍｍに規定することで、内箱の凹凸面にも追従し、ラベルの端面ウキを防止した基材の引っ張り強度が粘着力の１８０度剥離強度を上回る両面粘着テープを供給することができる。
【００１４】
請求項６に記載の発明は、請求項１に記載の発明において、延伸したポリプロピレンフィルムを基材の引っ張り強度が粘着力の１８０度剥離強度を上回る両面粘着テープの基材に使用することで、破れにくい高強度で寸法安定性のよい基材の引っ張り強度が粘着力の１８０度剥離強度を上回る両面粘着テープを供給することができる。
【００１５】
請求項７に記載の発明は、請求項６に記載の発明において、延伸したポリプロピレンフィルムの厚みを０．０５ｍｍから０．２５ｍｍに規定することで、内箱の凹凸面にも追従し、ラベルの端面ウキを防止した基材の引っ張り強度が粘着力の１８０度剥離強度を上回る両面粘着テープを供給することができる。
【００１６】
以下、本発明の実施の形態について、図面を参照しながら説明する。なお、この実施の形態によってこの発明が限定されるものではない。
【００１７】
（実施の形態１）
図１は本発明の実施の形態１における断熱箱体の部分断面図である。
【００１８】
図１において、内箱１はラベル２を基材の引っ張り強度が粘着力の１８０度剥離強度を上回る両面粘着テープ４により貼付している。基材の引っ張り強度が粘着力の１８０度剥離強度を上回る両面粘着テープ４は強度をもつ不織布の両面に粘着剤を含浸させたものであり、材料リサイクルの際、ラベルを剥離すれば基材の引っ張り強度が粘着力の１８０度剥離強度を上回る両面粘着テープ４は切断することなく剥がれ、粘着剤は内箱１上に残らないためリサイクル効率があがる。
【００１９】
また、基材の引っ張り強度が粘着力の１８０度剥離強度を上回る両面粘着テープ４の基材として多孔質発泡体を使用することにより、粘着剤が多孔質に含浸するため粘着力が強く、かつ基材が発泡体であることから柔軟であるという特徴ももつ。
【００２０】
また、多孔質発泡体の厚みを０．０５ｍｍから０．２５ｍｍに規定することにより内箱の凹凸にも追従し、ラベルの端面ウキを防止することができるという特徴ももつ。
【００２１】
また、基材の引っ張り強度が粘着力の１８０度剥離強度を上回る両面粘着テープ４の基材として和紙を使用することにより、繊維が絡み合って強度が上がり、材料リサイクルの際、ラベルを剥離すれば基材の引っ張り強度が粘着力の１８０度剥離強度を上回る両面粘着テープ４は切断することなく剥がれ、粘着剤は内箱１上に残らないためリサイクル効率があがるという特徴ももつ。
【００２２】
また、和紙の厚みを０．０５ｍｍから０．２５ｍｍに規定することにより内箱の凹凸にも追従し、ラベルの端面ウキを防止することができるという特徴ももつ。
【００２３】
また、基材の引っ張り強度が粘着力の１８０度剥離強度を上回る両面粘着テープ４の基材として延伸したポリプロピレンフィルムを使用することにより、構成分子が配向して強度が上がり、材料リサイクルの際、ラベルを剥離すれば基材の引っ張り強度が粘着力の１８０度剥離強度を上回る両面粘着テープ４は切断することなく剥がれ、粘着剤は内箱１上に残らないためリサイクル効率があがるという特徴ももつ。
【００２４】
また、延伸したポリプロピレンフィルムの厚みを０．０５ｍｍから０．２５ｍｍに規定することにより内箱の凹凸にも追従し、ラベルの端面ウキを防止することができるという特徴ももつ。
【産業上の利用可能性】
【００２５】
以上のように、本発明にかかる断熱箱体は、粘着剤の残留なしに内箱からラベルを剥離できるので、食品容器用材料のリサイクル効率向上等の用途にも適用できる。
【図面の簡単な説明】
【００２６】
【図１】本発明の実施の形態１における断熱箱体の部分断面図
【図２】従来の断熱箱体の部分断面図
【符号の説明】
【００２７】
１  内箱
２  ラベル
４  基材の引っ張り強度が粘着力の１８０度剥離強度を上回る両面粘着テープ
【図１】
2006248596.tif 000003
【図２】
2006248596.tif 000004